(57)【要約】【課題】施工を容易に行いつつ、パネル部材と柱部材とを確実に連結して、気密性および美観を確保できるフード、フード付き作業台を提供する。【解決手段】作業台の天板上に配置されて天板との間に内部空間を画成する側壁部２４を有するフードであって、側壁部２４は、互いに隣り合った状態で上下方向に沿って延在する側部パネル４２及び柱部材１００と、柱部材１００に設けられ、側部パネル４２に向かって突出する凸部１１０と、側部パネル４２に設けられ、凸部１１０を収容する凹部１２０と、側部パネル４２と柱部材１００とを連結する連結ボルトと、を備える。【選択図】図４
2019166433.tif 000002
【特許請求の範囲】
【請求項１】
作業台の天板上に配置されて前記天板との間に内部空間を画成する壁部を有するフードであって、
前記壁部は、
互いに隣り合った状態で第１方向に沿って延在する第１部材及び第２部材と、
前記第１部材および前記第２部材のうち一方の部材に設けられ、前記第１部材および前記第２部材のうち他方の部材に向かって突出する凸部と、
前記他方の部材に設けられ、前記凸部を収容する凹部と、
前記第１部材と前記第２部材とを連結する連結部材と、を備えるフード。
【請求項２】
前記凸部は、前記凸部の基端部から先端部に向かうに従い幅が漸次縮小する凸部側テーパ形状部を有し、
前記凹部は、前記凸部側テーパ形状部を補形して前記凸部側テーパ形状部を収容する凹部側テーパ形状部を有する請求項１に記載のフード。
【請求項３】
前記凸部は、前記凸部側テーパ形状部に対して前記基端部側に、前記凸部の突出方向に沿って直線状に延びる凸部側面を有し、
前記凸部側面の少なくとも一部は、前記凸部側テーパ形状部が前記凹部側テーパ形状部内に収容された状態で、前記第１部材および前記第２部材との間を通して露出する請求項２に記載のフード。
【請求項４】
前記凸部及び前記凹部は、前記第１方向に沿って連続して形成されている請求項１から請求項３のいずれか一項に記載のフード。
【請求項５】
前記第１部材は、柱状に形成され、
前記第２部材は、パネル状に形成されている請求項１から請求項４のいずれか一項に記載のフード。
【請求項６】
前記第２部材は、
矩形板状のパネル体と、
前記パネル体の外周部を保持するフレームと、を有し、
前記フレームは、前記パネル体における前記第１方向の両端部において前記凸部の突出方向に沿って延びる一対の横枠部を有し、
前記連結部材は、少なくとも一方の前記横枠部と前記第１部材とを連結する請求項５に記載のフード。
【請求項７】
前記フレームは、一対の前記横枠部間を架け渡すとともに、前記第１方向に沿って延びる一対の縦枠部を有し、
前記横枠部は、前記縦枠部に対して前記第１方向で連結されている請求項６に記載のフード。
【請求項８】
上面に作業面を有した天板を備える作業台と、
前記天板上に配置された請求項１から請求項７のいずれか一項に記載のフードと、を備えるフード付き作業台。
【発明の詳細な説明】
【技術分野】
【０００１】
本発明は、フード、フード付き作業台に関する。
【背景技術】
【０００２】
実験、研究等の作業を行う際に、周囲の環境や作業者にとって有害であったり不快感を与えられたりするガスや臭いが発生する場合がある。このような場合、例えば特許文献１，２等に示されるようなドラフトチャンバーやヒュームフード（以下、これらをフードと称する）が用いられている。フードは、作業を行う作業台上に設置され、フードの内側に形成される作業空間内の雰囲気を吸引することで、ガスや臭いがフードの周囲に漏出するのを抑える。
【０００３】
上記のようなフードの前面、後面、側面、上面の各面は、互いに隣り合う柱部材の間に、パネル部材が設けられることで構成されている。パネル部材は、ガラス等からなるパネルと、パネルの外周部を支持するフレームと、を備えている。
【先行技術文献】
【特許文献】
【０００４】
【特許文献１】特許第３５５３３５５号公報
【特許文献２】特許第６０３７７８５号公報
【発明の概要】
【発明が解決しようとする課題】
【０００５】
フードにおいては、パネル部材のフレームを柱部材に確実に連結する必要がある。フレームのうち上下方向に延びる縦枠部は、柱部材に沿って設けられる。縦枠部を柱部材に連結するには、例えばビス等を用いることができる。しかしながら、ビスの頭部がフードの外部や内部空間に露呈すると、フードの美観を損なってしまう。
【０００６】
これに対し、柱部材が中空筒状の場合には、柱部材の内側からビスを挿通させ、柱部材と縦枠部とを締結することで、ビスの頭部が露呈するのを抑えることができる。
しかし、この場合、柱部材の上下方向の中間部では、柱部材の内側でビスの締結作業を行うことは困難である。このため、ビスによる締結は、柱部材の上下方向の端部でしか行うことができない。すると、柱部材における上下方向の中間部において、縦枠部と柱部材との間に隙間が生じ、フード内の気密性が低下したり、フードの美観を損なったりする可能性がある。
一方、フレームの縦枠部と柱部材との合わせ目を、コーキング材等で封止することも考えられるが、施工の手間とコストが掛かる。
【０００７】
本発明は、施工を容易に行いつつ、パネル部材と柱部材とを確実に連結して、気密性および美観を確保できるフード、フード付き作業台を提供することを目的とする。
【課題を解決するための手段】
【０００８】
上記目的を達成するために、本発明の一態様に係るフードは、作業台の天板上に配置されて前記天板との間に内部空間を画成する壁部を有するフードであって、前記壁部は、互いに隣り合った状態で第１方向に沿って延在する第１部材及び第２部材と、前記第１部材および前記第２部材のうち一方の部材に設けられ、前記第１部材および前記第２部材のうち他方の部材に向かって突出する凸部と、前記他方の部材に設けられ、前記凸部を収容する凹部と、前記第１部材と前記第２部材とを連結する連結部材と、を備える。
【０００９】
本態様によれば、凸部を凹部に収容した状態で第１部材と第２部材とが組み付けられる。これにより、例えば第１部材及び第２部材が第１方向の端部のみでしか連結されていない場合であっても、第１部材と第２部材との間を第１方向に交差する交差方向に貫通する隙間が生じるのを抑制した上で、第１部材と第２部材とを組み付けることができる。したがって、フードの気密性や美観を確保できる。
また、第１部材と第２部材との間の隙間をコーキング材等で封止する必要もない。これにより、施工性を向上させることができる。
その結果、本態様では、壁部の施工を容易に行いつつ、第１部材及び第２部材を確実に連結して、気密性および美観を確保できる。
【００１０】
本発明の一態様に係るフードにおいて、前記凸部は、前記凸部の基端部から先端部に向かうに従い幅が漸次縮小する凸部側テーパ形状部を有し、前記凹部は、前記凸部側テーパ形状部を補形して前記凸部側テーパ形状部を収容する凹部側テーパ形状部を有していてもよい。
この構成によれば、凸部を凹部内に収容させ易くなり、更なる施工性の向上を図ることができる。特に、凸部側テーパ形状部と凹部側テーパ形状部とを互いに突き当てる場合には、壁部を組み立てる際、第１部材と第２部材との位置決めが行い易くなる。また、凸部側テーパ形状部と凹部側テーパ形状部とを互いに突き当てた場合には、凸部と凹部とが密に係合し、気密性を向上させることができる。
【００１１】
本発明の一態様に係るフードにおいて、前記凸部は、前記凸部側テーパ形状部に対して前記基端部側に、前記凸部の突出方向に沿って直線状に延びる凸部側面を有し、前記凸部側面の少なくとも一部は、前記凸部側テーパ形状部が前記凹部側テーパ形状部内に収容された状態で、前記第１部材および前記第２部材との間を通して露出していてもよい。
この構成によれば、第１部材と第２部材との間に平坦面である凸部側面が露出するので、例えば凸部側テーパ形状部の一部が露出する場合に比べて美観の向上を図ることができる。
【００１２】
本発明の一態様に係るフードにおいて、前記凸部及び前記凹部は、前記第１方向に沿って連続して形成されていてもよい。
この構成によれば、第１部材と第２部材との間に上述した交差方向に貫通する隙間が生じるのを、第１方向に連続した領域で抑制できる。
【００１３】
本発明の一態様に係るフードにおいて、前記第１部材は、柱状に形成され、前記第２部材は、パネル状に形成されていてもよい。
この構成によれば、第１部材によって第２部材を安定して支持した上で、フードの美観を向上させることができる。特に、第２部材に光透過性を有するパネルを採用した場合には、フードの内部空間内での作業性を向上させることができる。
【００１４】
本発明の一態様に係るフードにおいて、前記第２部材は、矩形板状のパネル体と、前記パネル体の外周部を保持するフレームと、を有し、前記フレームは、前記パネル体における前記第１方向の両端部において前記凸部の突出方向に沿って延びる一対の横枠部を有し、前記連結部材は、少なくとも一方の前記横枠部と前記第１部材とを連結していてもよい。
この構成によれば、第１部材と第２部材とを第１方向の中間部で連結する必要がないので、施工性の更なる向上を図ることができる。
【００１５】
本発明の一態様に係るフードにおいて、前記フレームは、一対の前記横枠部間を架け渡すとともに、前記第１方向に沿って延びる一対の縦枠部を有し、前記横枠部は、前記縦枠部に対して前記第１方向で連結されていてもよい。
この構成によれば、縦枠部および横枠部を連結する連結部材が、第１部材に干渉するのを抑制した上で、縦枠部および横枠部を確実に連結できる。
【００１６】
本発明の一態様に係る局所排気装置は、上面に作業面を有した天板を備える作業台と、前記天板上に配置された上記態様に係るフードを備える。
この構成によれば、施工性や気密性、美観に優れたフード付き作業台を提供できる。
【発明の効果】
【００１７】
本発明の一態様によれば、施工を容易に行いつつ、パネル部材と柱部材とを確実に連結して、気密性および美観を確保できる。
【図面の簡単な説明】
【００１８】
【図１】本実施形態に係るフード付き作業台の全体構成を示す斜視図である。
【図２】上記フード付き作業台を図１とは異なる角度から見た斜視図である。
【図３】側部パネルの構成を示す斜視展開図である。
【図４】側部パネルの側部フレームと中間柱を構成する柱部材との連結構造を示す平断面図である。
【図５】側部パネルの側部フレームと中間柱を構成する柱部材との連結構造を示す斜視図である。
【図６】側部パネルの天板の作業面に対する固定構造を示す斜視図である。
【図７】側部パネルの上部フレームと中間柱を構成する柱部材との連結構造を示す斜視図である。
【図８】側部パネルの上部フレームと中間柱を構成する柱部材との連結構造を示す平断面図である。
【発明を実施するための形態】
【００１９】
以下、添付図面を参照して、本発明によるフード、フード付き作業台を実施するための形態を説明する。しかし、本発明は本実施形態のみに限定されるものではない。
【００２０】
［フード付き作業台］
図１は、本実施形態に係るフード付き作業台１の全体構成を示す斜視図である。図２は、上記フード付き作業台を図１とは異なる角度から見た斜視図である。
図１、図２に示すように、フード付き作業台１は、天板１２を有した作業台本体１０と、作業台本体（作業台）１０の天板１２に設けられたフード２０と、を備えている。このようなフード付き作業台１は、例えば、実験、研究を行う施設の室内等に設置され、フード２０の内側に形成される作業空間（内部空間）Ｓ１内の気体がフード２０から室内に漏出するのを抑える。
【００２１】
＜作業台本体＞
作業台本体１０は、床面上に設置される下部構造部１１と、下部構造部１１上に設けられる天板１２と、を備えている。天板１２は、その上面に、水平面内に位置する作業面（上面）１２ｔを有する。
【００２２】
＜フード＞
フード２０は、下方に向けて開口する箱型に形成されている。フード２０は、天板１２上に組み付られることで、天板１２の作業面１２ｔとともに、略直方体状の作業空間Ｓ１を画成する。なお、フード２０は、作業台本体１０に対して着脱可能に組み付けられる構成であっても、作業台本体１０と一体形成されていてもよい。
【００２３】
フード２０は、水平方向の一方の側に開口する開口部２１Ａ、および水平方向において開口部２１Ａとは反対側に開口する開口部２１Ｂを有する。
以下の説明において、開口部２１Ａが開口する方向を「前方」、開口部２１Ｂが開口する方向を「後方」とし、開口部２１Ａと開口部２１Ｂとを結ぶ方向を「前後方向」、水平面内において前後方向に直交する方向を「左右方向」、前後方向および左右方向に直交する方向を「上下方向」と称することとする。図中において、矢印ＵＰは上方を示し、矢印ＦＲは前方を示し、矢印ＬＨは左方を示している。
【００２４】
フード２０は、前方に位置し、開口部２１Ａを有する前壁部２２と、後方に位置し、開口部２１Ｂを有する後壁部２３と、前壁部２２および後壁部２３に対し、左右方向両側に設けられた側壁部（壁部）２４と、上壁部２５と、を備えている。
【００２５】
前壁部２２は、天板１２の前端部１２ｆに配置され、作業面１２ｔから上方に向かって延びるよう立設されている。前壁部２２は、各側壁部２４の前後両端部を構成する支柱３１のうち、前側において左右方向で対向する支柱３１間に設けられている。前壁部２２は、固定壁３２および昇降扉３３を備える。
【００２６】
固定壁３２は、前壁部２２の上半部に設けられている。固定壁３２は、上下に間隔をあけて設けられ、それぞれ左右方向に延びて両端部が一対の支柱３１に接続された上下の枠材３２ａと、上下の枠材３２ａの間に組み込まれたパネル３２ｃと、を備えている。パネル３２ｃは、金属、ガラス（例えば強化ガラス）、合成樹脂（例えば、アクリル樹脂やポリカーボネート樹脂）等から形成されている。パネル３２ｃは、光透過性を有する材料から形成してもよい。
【００２７】
昇降扉３３は、一対の支柱３１に設けられたガイド部３１ｇに沿って、上下方向に昇降可能に設けられている。前壁部２２では、昇降扉３３を上方にスライドさせることで、昇降扉３３の下端と天板１２の作業面１２ｔとの間に開口部２１Ａが形成される。昇降扉３３は、上下の桟材３３ａ，３３ｂと、上下の桟材３３ａ，３３ｂの間に設けられたパネル３３ｃと、を備えている。パネル３３ｃは、光透過性を有したガラス（例えば、強化ガラス）、合成樹脂（例えば、アクリル樹脂やポリカーボネート樹脂）等から形成されている。
【００２８】
後壁部２３は、天板１２の後端部に配置され、作業面１２ｔから上方に向かって延びるよう立設されている。これにより、後壁部２３は、前壁部２２に対し、前後方向に間隔をあけて対向配置されている。後壁部２３は、各側壁部２４の前後両端部を構成する支柱３１のうち、後側において左右方向で対向する支柱３１間に設けられている。本実施形態において、後壁部２３は、前壁部２２と同様に固定壁３２および昇降扉３３を備える。後壁部２３では、昇降扉３３が上方にスライドすることで、昇降扉３３の下端と天板１２の作業面１２ｔとの間に開口部２１Ｂが形成される。
なお、後壁部２３は、昇降扉３３（開口部２１Ｂ）を有さない構成としてもよい。
【００２９】
側壁部２４は、前壁部２２の支柱３１と、後壁部２３の支柱３１との間に設けられている。側壁部２４は、天板１２における左右両側の側端部１２ｓに配置され、作業面１２ｔから上方に向かって延びるよう立設されている。側壁部２４の構成については、後に詳述する。
【００３０】
図２に示すように、上壁部２５は、前後方向の両側に設けられた梁材５１と、前後の梁材５１の中間部に設けられた中間梁５２と、上部パネル５３と、排出口５４と、を備えている。
【００３１】
各梁材５１は、左右方向に沿って延び、その両端部が、前壁部２２および後壁部２３の左右方向両側に位置する一対の支柱３１の上端部に連結されている。中間梁５２は、前後の梁材５１に対し、前後方向の中間部に配置されている。本実施形態において、中間梁５２は、前後方向に間隔をあけて２本設けられている。各中間梁５２は、左右方向に沿って延び、その両端部が、側壁部２４の上部フレーム４６に連結されている。
【００３２】
上部パネル５３は、前後方向で互いに隣り合う梁材５１と中間梁５２との間、および前後方向で互いに隣り合う中間梁５２同士の間に、それぞれ設けられている。上部パネル５３は、金属、ガラス（例えば、強化ガラス）、合成樹脂（例えば、アクリル樹脂やポリカーボネート樹脂）等から形成されている。上部パネル５３は、光透過性を有する材料から形成してもよい。
【００３３】
排出口５４は、上壁部２５の前後方向の中間部に位置する上部パネル５３に設けられている。排出口５４は、上壁部２５を上下方向に貫通し、フード２０内の作業空間Ｓ１とフード２０外とを連通している。この排出口５４には、筒状の排気ダクト（図示無し）が接続される。排気ダクトは、排出ファン（図示無し）に接続され、作業空間Ｓ１内から吸い出した気体を外部に排出する。
【００３４】
このようなフード付き作業台１は、天板１２の作業面１２ｔ上で各種の実験や研究等のための作業を行う際に、排気ファン（図示無し）を作動させる。すると、排出口５４を通して作業空間Ｓ１内の気体が吸い出され、作業空間Ｓ１内の圧力が、フード付き作業台１が設置された室内の空間Ｓ２の雰囲気の圧力よりも低くなる。このように、作業空間Ｓ１内を負圧とすることで、作業空間Ｓ１内の気体が、室内の空間Ｓ２に漏出するのを抑える。
なお、作業空間Ｓ１の内部に作業者がアクセスする場合には、前壁部２２や後壁部２３の昇降扉３３を上昇させて開口部２１Ａや２１Ｂを開く。このとき、不図示の制御装置によって、昇降扉３３の昇降動作や作業空間Ｓ１内の圧力を検出し、排気ファン（図示無し）による気体の吸引量の調整を行い、作業空間Ｓ１内の圧力を適切に制御する。
【００３５】
＜側壁部＞
次に、上記側壁部２４の構成について説明する。
図３は、側部パネル４２の構成を示す斜視展開図である。
図１〜図３に示すように、側壁部２４は、中間柱（第１部材）４１と、支柱（第１部材）３１と、側部パネル（第２部材）４２と、を備えている。
【００３６】
中間柱４１は、天板１２の側端部１２ｓにおいて、前後方向の中間部に設けられている。中間柱４１は、作業面１２ｔから上方に向かって延びるよう立設されている。
【００３７】
図４は、図２のＩＶ−ＩＶ線に沿う断面図である。図５は、側部パネル４２の側部フレーム４８と中間柱４１を構成する柱部材１００（１００Ａ）との連結構造を示す斜視図である。
図４、図５に示すように、中間柱４１は、二本一対の柱部材１００Ａによって構成されている。中間柱４１は、二本一対の柱部材１００Ａを、背中合わせにして互いに突き合わせ、ボルト・ナット１０１（図４参照）で締結することで形成されている。但し、中間柱４１は、一本で構成されていてもよい。
【００３８】
各柱部材１００Ａは、側部パネル４２に対向する側面１００ｓに、凸部１１０を有している。凸部１１０は、柱部材１００Ａの側面１００ｓから側部パネル４２に向かって突出している。凸部１１０は、柱部材１００Ａの側面１００ｓに、上下方向の全長に亘って連続して設けられている。但し、凸部１１０は、上下方向に沿って間欠的に設けられていてもよい。
【００３９】
凸部１１０は、凸部側テーパ形状部１１２と、凸部側面１１１と、を有している。凸部側テーパ形状部１１２は、凸部１１０の先端部側に形成されている。凸部側テーパ形状部１１２は、凸部１１０の基端部から先端部に向かうに従い左右方向（側部パネル４２の板厚方向）の幅が漸次縮小するよう形成されている。凸部側テーパ形状部１１２の先端部には、前後方向に直交する先端面１１２ｓが形成されている。
【００４０】
凸部側面１１１は、左右方向の外側（フード２０の外側）を向いている。凸部側面１１１は、凸部側テーパ形状部１１２よりも凸部１１０の基端部側に形成されている。凸部側面１１１は、柱部材１００Ａの側面１００ｓから前後方向（凸部１１０の突出方向）に沿って直線状に延在している。但し、凸部１１０は、側面１００ｓから突出していればよく、凸部側テーパ形状部１１２や凸部側面１１１を有していなくてもよい。
【００４１】
図５に示すように、支柱３１は、天板１２の側端部１２ｓの前後方向の両端部にそれぞれ設けられている。支柱３１は、側部パネル４２に対向する側に上記と同様の凸部１１０を有した柱部材１００Ｂによって構成されている。柱部材１００Ｂの凸部１１０は、柱部材１００Ａの側面１００ｓから側部パネル４２に向かって突出している。
【００４２】
図６は、側部パネル４２の天板１２の作業面１２ｔに対する固定構造を示す斜視図である。
図６に示すように、支柱３１および中間柱４１の下端部は、それぞれ、固定部材６０を介して天板１２の作業面１２ｔに固定されている。各固定部材６０は、ベース板部６２と、連結板部６３と、を一体に備える。ベース板部６２は、作業面１２ｔに沿って延びる平面視矩形の板状で、ボルト６５によって、作業面１２ｔに固定される。連結板部６３は、ベース板部６２の一辺から上方に延びる板状で、支柱３１または中間柱４１に沿うよう配置される。連結板部６３は、ボルト６６によって、支柱３１または中間柱４１に固定される。
【００４３】
図３〜図５に示すように、側部パネル４２は、中間柱４１の前後にそれぞれ設けられている。各側部パネル４２のうち、中間柱４１の前方に位置する側部パネル４２は、中間柱４１と前壁部２２の支柱３１と、の間に設けられている。一方、各側部パネル４２のうち、中間柱４１の後方に位置する側部パネル４２は、中間柱４１と、後壁部２３の支柱３１と、の間に設けられている。各側部パネル４２は、矩形板状のパネル体４４と、パネル体４４の外周部を保持するフレーム４３と、を備えている。
【００４４】
パネル体４４は、金属、ガラス（例えば、強化ガラス）、合成樹脂（例えば、アクリル樹脂やポリカーボネート樹脂）等から形成されている。パネル体４４は、光透過性を有する材料により形成することが好ましい。
【００４５】
図３に示すように、フレーム４３は、上部フレーム（横枠部）４６と、下部フレーム（横枠部）４７と、一対の側部フレーム（縦枠部）４８と、を備えている。
【００４６】
図６に示すように、下部フレーム４７は、前後方向に延在して、一対の側部フレーム４８の下端部同士を架け渡している。下部フレーム４７は、例えば下方に開口するＪ字状をなしている。具体的に、下部フレーム４７は、作業面１２ｔに上下方向で対向配置された対向部４７ａと、側部パネル４２の一面４２ｉ側において対向部４７ａから下方に延びる垂下片４７ｂと、側部パネル４２の他面４２ｏ（図２参照）側において対向部４７ａから下方に延びる閉塞部４７ｃと、を有している。
【００４７】
対向部４７ａは、作業面１２ｔから所定寸法上方に配置され、前後方向に沿って作業面１２ｔと平行に延在している。
垂下片４７ｂは、閉塞部４７ｃに対して上下方向の長さが短くなっている。
閉塞部４７ｃは、作業面１２ｔに上方から近接または当接する位置まで延在している。
【００４８】
下部フレーム４７は、前後方向の両端部において、垂下片４７ｂと閉塞部４７ｃとの間に連結板部６３を左右方向で挟み込んだ状態で、対向部４７ａが固定部材６０の連結板部６３上に支持されている。これにより、下部フレーム４７は、対向部４７ａが作業面１２ｔから所定寸法上方の位置した状態で天板１２上に配置されている。
【００４９】
下部フレーム４７は、作業面１２ｔ、中間柱４１および支柱３１とともに、側部パネル４２の一面４２ｉ側に開口する空間５０Ｓを形成する。空間５０Ｓは、側部パネル４２の一面４２ｉ側で、カバー部材７０により閉塞されている。カバー部材７０は、板状で、ボルト７１により、下部フレーム４７に着脱可能に固定されている。
【００５０】
一対の側部フレーム４８は、下部フレーム４７の両端部の上面からそれぞれ上方に延設されている。側部フレーム４８は、中間柱４１を構成する柱部材１００Ａまたは支柱３１を構成する柱部材１００Ｂ（以下、柱部材１００Ａ、１００Ｂを、単に柱部材１００と称する。）に沿って設けられている。側部フレーム４８の下端部は、下部フレーム４７に対し、例えば下方から上方に向かって延びるボルト（図示無し）によって締結固定されている。
【００５１】
図４に示すように、側部フレーム４８は、パネル体４４に対向する側に、パネル体４４の側端部が挿入される保持溝１２５を有している。パネル体４４の前後両端部は、保持溝１２５内にパッキン１２６を介して保持されている。側部フレーム４８は、パネル体４４を挟んだ両側に、傾斜面４８ｃを有している。傾斜面４８ｃは、柱部材１００から離間するに従い側部フレーム４８の左右方向の幅が漸次縮小するように傾斜している。
【００５２】
側部フレーム４８は、柱部材１００の側面１００ｓに対向する側に、側面１００ｓと平行な側面４８ｓを有している。側面４８ｓには、側面１００ｓに向けて開口する凹部１２０が形成されている。凹部１２０は、上下方向に沿って連続して形成されている。凹部１２０には、凸部側テーパ形状部１１２を補形する凹部側テーパ形状部１２２が形成されている。凹部１２０には、凸部側テーパ形状部１１２の先端面１１２ｓに対向する平面部１２１が形成されている。
【００５３】
側部フレーム４８の凹部１２０には、柱部材１００の凸部１１０が収容されている。この場合、側部フレーム４８と柱部材１００との間は、左右方向に貫通する隙間が生じず、かつ前後方向に入り組んだラビリンス状に形成される。凸部１１０が凹部１２０内に収容された状態において、凸部１１０の凸部側テーパ形状部１１２と、凹部１２０の凹部側テーパ形状部１２２と、が互いに突き当たっている。これにより、側部パネル４２は、左右方向において、柱部材１００に対する移動が拘束される。凸部１１０が凹部１２０内に収容された状態において、凸部側テーパ形状部１１２の先端面１１２ｓと、凹部１２０の平面部１２１と、が互いに突き当たっている。これにより、側部パネル４２は、前後方向において、柱部材１００に対する移動が拘束される。なお、凸部側テーパ形状部１１２および凹部側テーパ形状部１２２同士、並びに先端面１１２ｓおよび平面部１２１同士は、それぞれ隙間を有して対向していてもよい。
【００５４】
凸部１１０が凹部１２０内に収容された状態において、柱部材１００の側面１００ｓと側部フレーム４８の側面４８ｓとの間は、前後方向に間隔をあけて対向する。この場合、柱部材１００の側面１００ｓと側部フレーム４８の側面４８ｓとの間に、凸部側面１１１の少なくとも一部が、フード２０の外側（側部パネル４２の他面４２ｏ側）に向けて露出する。但し、凸部１１０が凹部１２０内に収容された状態において、柱部材１００の側面１００ｓと側部フレーム４８の側面４８ｓが突き当たっていてもよい。
【００５５】
図３に示すように、上部フレーム４６は、前後方向に延在して、一対の側部フレーム４８の上端部同士を架け渡している。
【００５６】
図７は、側部パネル４２の上部フレーム４６と中間柱４１を構成する柱部材１００（１００Ａ）との連結構造を示す斜視図である。
図７に示すように、上部フレーム４６は、前後方向から見た断面形状が左右方向の内側（フード２０の内側）に開口するＣ字状に形成されている。上部フレーム４６は、上面部４６ａと、側面部４６ｂと、下面部４６ｃと、を一体に有している。上面部４６ａは、側部パネル４２の上端面を形成する。側面部４６ｂは、上面部４６ａにおいて左右方向の外側（側部パネル４２の他面４２ｏ側）の端部から下方に延びている。下面部４６ｃは、側面部４６ｂの下端部から左右方向の内側（側部パネル４２の一面４２ｉ側）に延びている。下面部４６ｃにおける前後両端部は、側部フレーム４８上に載置されている。
上部フレーム４６は、下面部４６ｃにおいて、上方から下方に向かって延びる締結ボルト（締結部材）１４０によって側部フレーム４８の上端部に上下方向で締結固定されている。
【００５７】
図８は、図２のＶＩＩＩ−ＶＩＩＩ線に沿う断面図である。
図７、図８に示すように、上部フレーム４６の両端部には、柱部材１００の側面１００ｓに前後方向で対向する対向部材４６ｄが設けられている。対向部材４６ｄは前後方向を厚さ方向とする板状に形成されている。対向部材４６ｄは、例えば溶接等によって、上部フレーム４６（例えば、下面部４６ｃ）に固定されている。対向部材４６ｄは、対向部材４６ｄを前後方向に貫通する複数のボルト挿通孔４６ｈを有している。対向部材４６ｄは、ボルト挿通孔４６ｈに挿通させた連結ボルト（連結部材）１３０（図８参照）によって、柱部材１００の凸部１１０の先端面１１２ｓに形成された雌ネジ孔１１３ｈに前後方向で締結されている。このようにして、側部パネル４２の上部フレーム４６と柱部材１００とが連結されている。すなわち、側部パネル４２および柱部材１００は、上下両端部において連結されている。但し、側部パネル４２および柱部材１００は、上下方向における任意の位置で連結されていてもよい。なお、連結ボルト１３０の頭部は、上部フレーム４６の内側に配置され、フード２０の外部に露呈するのが抑えられている。
【００５８】
上記のようにして、側部パネル４２は、垂下片４７ｂと閉塞部４７ｃとの間に連結板部６３を左右方向で挟み込んだ状態で、対向部４７ａが固定部材６０の連結板部６３上に支持されることで、側部パネル４２の下端部において、柱部材１００に対する少なくとも下方および左右方向への移動が拘束されている。また、側部パネル４２は、柱部材１００の凸部１１０と、側部フレーム４８の凹部１２０と、が互いに係合することで、側部パネル４２の上下方向の中間部において、柱部材１００に対する少なくとも左右方向及び前後方向への移動が拘束されている。また、側部パネル４２は、上部フレーム４６の対向部材４６ｄが連結ボルト１３０によって柱部材１００に連結されることで、側部パネル４２の上端部において、柱部材１００に対する前後方向、上下方向および左右方向への移動が拘束されている。
【００５９】
また、凸部１１０が凹部１２０内に収容されることで、側部パネル４２の上下方向の中間部において、側部パネル４２と柱部材１００との間に前後方向の隙間が生じるのを抑えている。
【００６０】
本実施形態では、柱部材１００に設けられ、側部フレーム４８に向かって突出する凸部１１０と、側部フレーム４８に設けられ、凸部１１０が収容される凹部１２０と、柱部材１００と側部パネル４２とを連結する連結ボルト１３０と、を備える構成とした。
この構成によれば、凸部１１０を凹部１２０に収容した状態で側部パネル４２と柱部材１００とが組み付けられる。これにより、例えば側部フレーム４８と柱部材１００とが上下両端部のみでしか連結されていない場合であっても、側部フレーム４８と柱部材１００との間に左右方向に貫通する隙間が生じるのを抑制した上で、側部フレーム４８と柱部材１００とを組み付けることができる。したがって、フード２０内の気密性や美観を確保できる。
また、側部フレーム４８と柱部材１００との間の隙間をコーキング材等で封止する必要もない。これにより、施工性を向上させることができる。
その結果、本実施形態では、側壁部２４の施工を容易に行いつつ、側部パネル４２と柱部材１００とを確実に連結して、気密性および美観を確保できる。
【００６１】
本実施形態では、凸部１１０の凸部側テーパ形状部１１２が凹部１２０の凹部側テーパ形状部１２２内に収容される構成とした。
この構成によれば、凸部１１０を凹部１２０内に収容させ易くなり、更なる施工性の向上を図ることができる。特に、凸部側テーパ形状部１１２と凹部側テーパ形状部１２２とを互いに突き当てることで、側壁部２４を組み立てる際、側部パネル４２と柱部材１００との位置決めが行い易くなる。また、凸部側テーパ形状部１１２と凹部側テーパ形状部１２２とを互いに突き当てた場合には、凸部１１０と凹部１２０とが密に係合し、気密性を向上させることができる。
【００６２】
本実施形態では、凸部側テーパ形状部１１２が凹部側テーパ形状部１２２内に収容された状態で、側部フレーム４８と柱部材１００との間を通じて露出する凸部側面１１１有する構成とした。
この構成によれば、側部フレーム４８と柱部材１００との間に平坦面が露出するので、例えば凸部側テーパ形状部１１２の一部が露出する場合に比べて美観の向上を図ることができる。
【００６３】
本実施形態では、側部フレーム４８の幅が柱部材１００から離間するに従い漸次縮小する構成とした。
この構成によれば、柱部材１００との組付部分を確保した上で、側部フレーム４８を小型化できる。
【００６４】
本実施形態では、凸部１１０及び凹部１２０が上下方向に連続して形成されている構成とした。
この構成によれば、側部フレーム４８と柱部材１００との間に左右方向に貫通する隙間が生じるのを、上下方向に連続した領域で抑制できる。
【００６５】
本実施形態では、側部パネル４２および柱部材１００の組み合わせにより側壁部２４が構成されているため、柱部材１００によって側部パネル４２を安定して支持した上で、フード２０の美観を向上させることができる。特に、側部パネル４２のパネル体４４に光透過性を有する材料を採用した場合には、作業空間Ｓ１内での作業性を向上させることができる。
また、本実施形態では、パネル体４４が側部フレーム４８に形成された保持溝１２５内にパッキン１２６を介して保持されている。そのため、パネル体４４と側部フレーム４８との間の気密性を確保した上で、パネル体４４が側部フレーム４８に安定して保持される。
【００６６】
本実施形態では、側部パネル４２の上部フレーム４６および下部フレーム４７が柱部材１００に左右方向で連結される構成とした。
この構成によれば、側部パネル４２と柱部材１００とを上下方向の中間部で連結する必要がないので、施工性の更なる向上を図ることができる。
【００６７】
本実施形態では、上部フレーム４６および下部フレーム４７が、側部フレーム４８に対して上下方向で連結されている構成とした。
この構成によれば、上部フレーム４６および下部フレーム４７と、側部フレーム４８と、の締結部材が、柱部材１００に干渉するのを抑制した上で、上部フレーム４６および下部フレーム４７と、側部フレーム４８と、を確実に連結できる。
【００６８】
本実施形態では、上述したフード２０を備えているため、施工性や気密性、美観に優れたフード付き作業台１を提供できる。
【００６９】
（その他の実施形態）
以上、本発明の好ましい実施例を説明したが、本発明はこれら実施例に限定されることはない。本発明の趣旨を逸脱しない範囲で、構成の付加、省略、置換、及びその他の変更が可能である。本発明は上記した説明によって限定されることはなく、添付の特許請求の範囲によってのみ限定される。
例えば、上記した実施形態では、凸部１１０を柱部材１００に設け、凹部１２０を側部フレーム４８に設けるようにしたが、凸部１１０を側部フレーム４８に設け、凹部１２０を柱部材１００に設けるようにしてもよい。
【００７０】
上記した実施形態では、フード２０の側壁部２４に本発明に係る構成を採用した場合について説明したが、この構成のみに限られない。フード２０のうち、作業空間Ｓ１を画成する各壁部に本発明の構成を採用してもよい。
【００７１】
上記した実施形態の側部パネル４２は、フレーム４３に凹部１２０が形成された構成について説明したが、この構成のみに限らず、パネル体４４自体に凹部１２０を形成してもよい。
上記した実施形態では、第１部材を柱状に形成し、第２部材をパネル状に形成した構成について説明したが、この構成のみに限られない。例えば、第１部材および第２部材の双方を柱状またはパネル状に形成してもよい。
上記した実施形態では、側部パネル４２が前後方向で隣り合う柱部材１００それぞれに組み付けられる構成について説明したが、この構成のみに限られない。すなわち、側部パネル４２は、前後方向における少なくとも一方の端部が柱部材１００に組み付けられていればよい。
【００７２】
その他、本発明の趣旨を逸脱しない範囲で、上記した実施形態における構成要素を周知の構成要素に置き換えることは適宜可能であり、また、上記した各変形例を適宜組み合わせてもよい。
【符号の説明】
【００７３】
１  フード付き作業台
１０  作業台本体（作業台）
１２  天板
１２ｔ  作業面（上面）
２０  フード
２４  側壁部（壁部）
３１  支柱
４１  中間柱
４２  側部パネル（パネル部材）
４４  パネル体
４６  上部フレーム（横枠部）
４６ｄ  対向部材
４８  側部フレーム（縦枠部）
１００、１００Ａ、１００Ｂ  柱部材
１００ｓ  側面
１１０  凸部      
１１１  凸部側面
１１２  凸部側テーパ形状部
１２０  凹部
１２２  凹部側テーパ形状部
１２５  保持溝
１３０  連結ボルト（連結部材）
１４０  締結ボルト（締結部材）
【図１】
2019166433.tif 000003
【図２】
2019166433.tif 000004
【図３】
2019166433.tif 000005
【図４】
2019166433.tif 000006
【図５】
2019166433.tif 000007
【図６】
2019166433.tif 000008
【図７】
2019166433.tif 000009
【図８】
2019166433.tif 000010